(57)【要約】      （修正有）【課題】側面衝突時に電気装置とフロアクロスメンバとの固定を保持して車両内側に移動させ、衝撃荷重を吸収しつつ電気装置と車体との固定を破断させずに衝突後も維持し、電気装置と車体構造体との衝突を防ぐ。【解決手段】センタートンネル３、サイドシル４、前後フロアクロスメンバ５，６に囲まれた領域の電気装置２の車両前後部と車両内側部に、前後固定部２１，２２と内側固定部２３が設けられ、前後固定部２１，２２は、電気装置２から車両前後方向に延び前後フロアクロスメンバ５，６に固定され、内側固定部２３はセンタートンネル３付近のフロアパネル１に固定され、前後固定部２１，２２は電気装置２の外半部側に位置し、電気装置２の外側端よりも内側箇所に設けられ、内側固定部２３は、車体側取付点と電気装置側取付点との間で車両幅方向に複数の屈曲点を有するブラケットで構成され、電気装置２の底面とフロアパネル１との間に空間が設けられている。【選択図】図２
2019155993.tif 000002
【特許請求の範囲】
【請求項１】
車室内のフロアパネル上でシートの下側に設けられる電気装置の固定構造であって、車両前後方向に延びるセンタートンネル及びサイドシルと、車両幅方向に延びる前側フロアクロスメンバ及び後側フロアクロスメンバとを有し、前記前側フロアクロスメンバ及び前記後側フロアクロスメンバは、前記センタートンネルと前記サイドシルにそれぞれ接続されて固定されているとともに、前記電気装置は、前記センタートンネル、前記サイドシル、前記前側フロアクロスメンバ及び前記後側フロアクロスメンバに囲まれた領域に配置されている電気装置の固定構造において、
前記電気装置の車両前後部と車両内側部には、前記電気装置の車体への固定部として前後固定部と内側固定部が設けられ、前記前後固定部は、前記電気装置から車両前後方向に延び、前記前側フロアクロスメンバ及び前記後側フロアクロスメンバに固定され、前記内側固定部は、前記センタートンネルもしくは前記センタートンネル付近の前記フロアパネルに固定され、
前記前後固定部は、前記電気装置の車両幅方向の外半部側に位置し、かつ前記電気装置の車両幅方向の外側端よりも車両内側に位置する箇所に設けられ、
前記内側固定部は、車体側取付点と電気装置側取付点との間で車両幅方向に複数の屈曲点を有する形状に形成されたブラケットで構成され、
前記電気装置の底面と前記フロアパネルとの間には、空間が設けられていることを特徴とする電気装置の固定構造。
【請求項２】
前記電気装置と前記センタートンネルとの間の車両幅方向の距離及び前記電気装置と前記サイドシルとの間の車両幅方向の距離は、前記電気装置と前記前側フロアクロスメンバとの間の車両前後方向の距離及び前記電気装置と前記後側フロアクロスメンバとの間の車両前後方向の距離よりも大きく設定され、
前記前側フロアクロスメンバ及び前記後側フロアクロスメンバには、シートブラケットがそれぞれ固定されており、該シートブラケットは、車両幅方向で前記電気装置の前記前後固定部と前記サイドシルとの間に配置されているとともに、前記前後固定部と隣接した位置に配置されていることを特徴とする請求項１に記載の電気装置の固定構造。
【請求項３】
前記電気装置は、電気装置本体と、該電気装置本体の周囲を覆うハウジングケースを有し、前記電気装置本体の周囲と前記ハウジングケースとの間には隙間が設けられ、前記電気装置本体の車両外側面に対する隙間は、車両外側面以外の面に対する隙間よりも大きな隙間が設けられており、
前記ハウジングケースの車両前後面には、前記電気装置本体の車両前後面と係止する係止部が設けられていることを特徴とする請求項１または２に記載の電気装置の固定構造。
【請求項４】
前記センタートンネルの車両幅方向左右両側に位置する前記フロアパネルには、車両前後方向に沿った閉断面部が設けられ、前記電気装置の前記内側固定部を構成する前記ブラケットは、前記閉断面部に接続されて固定されていることを特徴とする請求項１〜３のいずれかに記載の電気装置の固定構造。
【発明の詳細な説明】
【技術分野】
【０００１】
本発明は、電気装置の固定構造に関する。
【背景技術】
【０００２】
車両には、エンジン始動時のスターターへの電力供給や電装品への電力供給などに用いる電気装置（バッテリーやコンバータなど）が搭載されている。従来の電気装置の固定構造の中には、バッテリーを車両のシート下の空間に配置したバッテリー配置構造がある（例えば、特許文献１参照）。この構造では、フロアパネル上に設けたバッテリーとサイドシルとの間に、サイドシルに対して距離を置いて室内空調用ダクトを配置し、該室内空調用ダクトを、バッテリーの一部に取付けるとともに、サイドシルの一部にも取付けるようにしている。
【先行技術文献】
【特許文献】
【０００３】
【特許文献１】特開２０１５−７４４０６号公報
【発明の概要】
【発明が解決しようとする課題】
【０００４】
しかしながら、上述した従来の電気装置の固定構造は、フロアパネル上に設けたバッテリーとサイドシルとの間に室内空調用ダクトを配置し、該室内空調用ダクトをバッテリー及びサイドシルの一部に取付けているに過ぎないので、側面衝突時などに入力される衝撃荷重を十分に吸収することができないという問題を有していた。
また、従来の電気装置の固定構造にあっては、将来的にバッテリーが大型化した際に、サイドシルなどに対して十分に距離を置いて配置することが難しいので、側突時の車体への挟み込みによるバッテリーの破損や脱落などが発生してしまうという懸念を有していた。
【０００５】
本発明はこのような実状に鑑みてなされたものであって、その目的は、側面衝突時に電気装置とフロアクロスメンバとの固定を保持したまま車両幅方向内側に移動させ、車両内側に位置するブラケットの変形により衝撃荷重を吸収しながら、電気装置と車体との固定を破断させることなく衝突後も維持して、電気装置が車体構造体と衝突することを防止することが可能な電気装置の固定構造を提供することにある。
【課題を解決するための手段】
【０００６】
上記従来技術の有する課題を解決するために、本発明は、車室内のフロアパネル上でシートの下側に設けられる電気装置の固定構造であって、車両前後方向に延びるセンタートンネル及びサイドシルと、車両幅方向に延びる前側フロアクロスメンバ及び後側フロアクロスメンバとを有し、前記前側フロアクロスメンバ及び前記後側フロアクロスメンバは、前記センタートンネルと前記サイドシルにそれぞれ接続されて固定されているとともに、前記電気装置は、前記センタートンネル、前記サイドシル、前記前側フロアクロスメンバ及び前記後側フロアクロスメンバに囲まれた領域に配置されている電気装置の固定構造において、前記電気装置の車両前後部と車両内側部には、前記電気装置の車体への固定部として前後固定部と内側固定部が設けられ、前記前後固定部は、前記電気装置から車両前後方向に延び、前記前側フロアクロスメンバ及び前記後側フロアクロスメンバに固定され、前記内側固定部は、前記センタートンネルもしくは前記センタートンネル付近の前記フロアパネルに固定され、前記前後固定部は、前記電気装置の車両幅方向の外半部側に位置し、かつ前記電気装置の車両幅方向の外側端よりも車両内側に位置する箇所に設けられ、前記内側固定部は、車体側取付点と電気装置側取付点との間で車両幅方向に複数の屈曲点を有する形状に形成されたブラケットで構成され、前記電気装置の底面と前記フロアパネルとの間には、空間が設けられている。
【発明の効果】
【０００７】
上述の如く、本発明に係る電気装置の固定構造は、車室内のフロアパネル上でシートの下側に設けられる電気装置の固定構造であって、車両前後方向に延びるセンタートンネル及びサイドシルと、車両幅方向に延びる前側フロアクロスメンバ及び後側フロアクロスメンバとを有し、前記前側フロアクロスメンバ及び前記後側フロアクロスメンバは、前記センタートンネルと前記サイドシルにそれぞれ接続されて固定されているとともに、前記電気装置は、前記センタートンネル、前記サイドシル、前記前側フロアクロスメンバ及び前記後側フロアクロスメンバに囲まれた領域に配置されており、前記電気装置の車両前後部と車両内側部には、前記電気装置の車体への固定部として前後固定部と内側固定部が設けられ、前記前後固定部は、前記電気装置から車両前後方向に延び、前記前側フロアクロスメンバ及び前記後側フロアクロスメンバに固定され、前記内側固定部は、前記センタートンネルもしくは前記センタートンネル付近の前記フロアパネルに固定され、前記前後固定部は、前記電気装置の車両幅方向の外半部側に位置し、かつ前記電気装置の車両幅方向の外側端よりも車両内側に位置する箇所に設けられ、前記内側固定部は、車体側取付点と電気装置側取付点との間で車両幅方向に複数の屈曲点を有する形状に形成されたブラケットで構成され、前記電気装置の底面と前記フロアパネルとの間には、空間が設けられている。
そのため、本発明の電気装置の固定構造では、側面衝突時において、衝突範囲が広い場合は前後のフロアクロスメンバが衝撃荷重を受け、フロアパネルが変形して前後のフロアクロスメンバは車両幅方向内側に移動する。その際、剛性の高いフロアクロスメンバは、変形量が小さいので、電気装置とフロアクロスメンバとの固定が保持されたまま車両内側に移動することになる。また、車両内側に位置する内側固定部のブラケットは、屈曲点の箇所で変形しながらストロークする。
したがって、本発明の電気装置の固定構造によれば、側面衝突時に加わる衝撃荷重を吸収しながら、電気装置と車体との固定を破断させることなく衝突後も維持することができるとともに、電気装置が車体構造体と衝突することを防止することができる。
【図面の簡単な説明】
【０００８】
【図１】本発明の実施形態に係る固定構造が適用された電気装置のバッテリーを車両上方から見た平面図である。
【図２】図１のＺ部を拡大して示す平面図である。
【図３】図２におけるＡ−Ａ線断面図である。
【図４】図１の電気装置の電気装置本体及びハウジングケースを車両上方から見た平面図である。
【図５】図４における電気装置本体及びハウジングケースを車両前方から見た正面図である。
【図６】図４における電気装置本体及びハウジングケースを車両前側の斜め上方から見た斜視図である。
【図７】図４における電気装置本体及びハウジングケースを車両後側の斜め上方から見た斜視図である。
【発明を実施するための形態】
【０００９】
以下、本発明を図示の実施の形態に基づいて詳細に説明する。
図１〜図７は本発明の実施形態に係る電気装置の固定構造を示すものである。なお、図１〜図３において、矢印Ｆｒ方向は車両前方を示し、矢印Ｏ方向は車両外側を示し、矢印Ｕ方向は車両上方を示している。また、矢印Ｘ方向は車両幅方向を示し、矢印Ｙ方向は車両前後方向を示している。
【００１０】
図１〜図３に示すように、本発明の実施形態に係る電気装置の固定構造は、車室内のフロアパネル１上でシート（図示せず）の下側に設けられる電気装置２を固定する構造であり、車両前後方向に延びるセンタートンネル３及びサイドシル４と、車両幅方向に延びる前側フロアクロスメンバ５及び後側フロアクロスメンバ６とを有している。これらフロアパネル１、センタートンネル３、サイドシル４、前側フロアクロスメンバ５及び後側フロアクロスメンバ６は、本実施形態の固定構造が適用される車体の一部を構成しており、前側フロアクロスメンバ５及び後側フロアクロスメンバ６は、通常、フロアパネル１よりも高い剛性を有している。また、電気装置２としては、例えば、バッテリー、コンバータなどが挙げられるが、本実施形態の電気装置２は、バッテリーに適用されている。
【００１１】
本実施形態のセンタートンネル３は、車両上方に突出する断面略Ｕ字形状に形成され、車両中央部に配置されており、サイドシル４は、車両側部の左右両側に配置されている。また、前側フロアクロスメンバ５は電気装置２に対して車両前方側に配置され、後側フロアクロスメンバ６は電気装置２に対して車両後方側に配置されており、前側フロアクロスメンバ５及び後側フロアクロスメンバ６の端部は、センタートンネル３とサイドシル４にそれぞれ接続されて固定されている。さらに、前側フロアクロスメンバ５の上面は、電気装置２の上面よりも低い位置となるように設定されている一方、後側フロアクロスメンバ６の上面は、電気装置２の底面と同等もしくは電気装置２の底面よりも低い位置となるように設定されている。
そして、電気装置２は、図１に示すように、センタートンネル３、サイドシル４と、車両幅方向に延びる前側フロアクロスメンバ５及び後側フロアクロスメンバ６に囲まれた空間の領域Ｒに配置されている。しかも、電気装置２の車両下方に位置するフロアパネル１の下面には、図３に示すように、車両前後方向に延びるフロアサイドメンバ１１が設けられている。そのため、電気装置２は、車両幅方向においてフロアサイドメンバ１１を跨いで配置されている。なお、サイドシル４の車両上方には、サイドドア１２が設けられている。
【００１２】
本実施形態における電気装置２の車両前後部と車両内側部には、図１〜図７に示すように、電気装置２の車体への固定部として、前後固定部２１，２２と内側固定部２３が設けられており、電気装置２の車両外側部には、車体への固定部が設けられていない。前側固定部２１と後側固定部２２は、車両幅方向で同一の位置に設けられ、フロアサイドメンバ１１よりも車両外側に位置しており、内側固定部２３は、フロアサイドメンバ１１よりも車両内側に位置している。そして、前側固定部２１は電気装置２の上部側に配置され、後側固定部２２及び内側固定部２３は電気装置２の下部側に配置されている。
また、前側固定部２１及び後側固定部２２は、電気装置２から車両前後方向に延びるステーであり、前側固定部２１は、一端がボルトなどの締結具を用いて前側フロアクロスメンバ５に固定され、後側固定部２２は、一端がボルトなどの締結具を用いて後側フロアクロスメンバ６に固定されている。そして、内側固定部２３は、電気装置２から車両幅方向に延びるブラケットであり、ボルトなどの締結具を用いてセンタートンネル３もしくはセンタートンネル３付近のフロアパネル１に固定されている。しかも、車両幅方向の衝撃荷重に対しては、前後固定部２１，２２よりも内側固定部２３の方が脆弱に構成されている。なお、前側固定部２１及び後側固定部２２の他端は、後述のハウジングケースに固定されている。
【００１３】
本実施形態の固定構造において、前後固定部２１，２２は、図２に示すように、電気装置２の車両幅方向の外半部側に位置し、かつ電気装置２の車両幅方向の外側端２ａよりも車両内側に位置する箇所に設けられている。すなわち、前後固定部２１，２２は、電気装置２の車両幅方向において、電気装置２の中心軸Ｃと電気装置２の外側端２ａとの間に配置されている。これにより、車両側面衝突時において、電気装置２と前側フロアクロスメンバ５及び後側フロアクロスメンバ６とが一緒に移動するようになっている。
【００１４】
また、本実施形態の内側固定部２３は、図３〜図６に示すように、車体側取付点２３Ａと電気装置側取付点２３Ｂとの間で車両幅方向に複数の屈曲点２３Ｃを有する形状に形成されたブラケットで構成されており、該ブラケットの形状としては、クランク状、Ｚ字状、Ｕ字状、ハット形状など、種々の形状が適用可能である。屈曲点２３Ｃを有する内側固定部２３は、車両幅方向の衝撃荷重に対して、変形しやすくなっている。
一方、本実施形態のセンタートンネル３の車両幅方向左右両側に位置するフロアパネル１の下面には、図３に示すように、車両前後方向に沿った閉断面部１３が設けられている。この閉断面部１３は、フロアパネル１と、車両前後方向へ延び、当該フロアパネル１の下面に接合される断面ハット型形状のトンネルサイドメンバ９とによって構成されている。そして、電気装置２の内側固定部２３を構成するブラケットは、閉断面部１３に接続されて固定されている。このような閉断面部１３の箇所に内側固定部２３のブラケットを固定することで、車両側面から入力された衝撃荷重による内側固定部２３の車体側取付点２３Ａの部分の変形が低減され、内側固定部２３のブラケットに変形が確実に発生するように構成されている。
【００１５】
さらに、電気装置２の底面２ｂとフロアパネル１との間には、空間Ｓが設けられている。このような空間Ｓを設けることにより、前側フロアクロスメンバ５及び後側フロアクロスメンバ６の両方に衝撃荷重が入力される広範囲での車両側面衝突時において、電気装置２が、フロアパネル１に影響されることなく、前側フロアクロスメンバ５及び後側フロアクロスメンバ６と一緒に移動できるような構造にしている。
【００１６】
また、本実施形態の固定構造において、電気装置２とセンタートンネル３との間の車両幅方向の距離Ｌ１及び電気装置２とサイドシル４との間の車両幅方向の距離Ｌ２は、図２に示すように、電気装置２と前側フロアクロスメンバ５との間の車両前後方向の距離Ｌ３及び電気装置２と後側フロアクロスメンバ６との間の車両前後方向の距離Ｌ４よりもそれぞれ大きく設定されており（Ｌ１，Ｌ２＞Ｌ３，Ｌ４）、電気装置２は、センタートンネル３及びサイドシル４から離れた位置に配置されている。これにより、車両側面衝突時において、電気装置２とセンタートンネル３及びサイドシル４との衝突発生が低減されるようになっている。
【００１７】
しかも、前側フロアクロスメンバ５及び後側フロアクロスメンバ６の上面には、図１及び図２に示すように、シート（図示せず）を固定する断面ハット型形状のシートブラケット７，８がそれぞれ固定されている。これらシートブラケット７，８は、車両幅方向で電気装置２の前後固定部２１，２２とサイドシル４との間に配置されているとともに、前後固定部２１，２２と隣接した位置に設けられている。シートブラケット７，８は、前側フロアクロスメンバ５及び後側フロアクロスメンバ６を補強する役割を有しており、車両側面衝突時に、電気装置２の前後固定部２１，２２よりも車両外側に位置する前側フロアクロスメンバ５及び後側フロアクロスメンバ６の変形がシートブラケット７，８によって抑えられ、前側フロアクロスメンバ５及び後側フロアクロスメンバ６の変位と共に、電気装置２が移動するように構成されている。
【００１８】
一方、本実施形態の固定構造に適用される電気装置２は、図１〜図７に示すように、平面視で四角形状の電気装置本体２Ａと、該電気装置本体２Ａの周囲を覆うハウジングケース２Ｂを有している。これら電気装置本体２Ａの周囲とハウジングケース２Ｂとの間には、隙間ｃ１，ｃ２が設けられており、電気装置本体２Ａの車両外側面に対する隙間ｃ１は、図５に示すように、車両外側面以外の面に対する隙間ｃ２よりも大きな隙間が設けられている（ｃ１＞ｃ２）。そのため、ハウジングケース２Ｂの外側端部は、電気装置本体２Ａの外側端部から更に車両側部方向に延長されており、電気装置本体２Ａとハウジングケース２Ｂとの間に所定の隙間ｃ１が設けられるように構成されている。また、ハウジングケース２Ｂの車両前後面には、電気装置本体２Ａの車両前後面と係止する係止部２４，２５が設けられており、これら前面側係止部２４及び後面側係止部２５は、電気装置本体２Ａとハウジングケース２Ｂとの間に設けられた隙間ｃ１，ｃ２を保持するために設けられている。ただし、ハウジングケース２Ｂと車両側部のサイドシル４との間には、空間が確保されており、電気装置本体２Ａ及びハウジングケース２Ｂは、サイドシル４から離れた位置（図２中の距離Ｌ２）に配置されている。これによって、車両側面衝突時にハウジングケース２Ｂが変形することで衝撃荷重吸収部材として機能し、電気装置本体２Ａへの衝撃が緩和されるように構成されている。
【００１９】
このように、本発明の実施形態に係る電気装置２の固定構造は、車室内のフロアパネル１上でシートの下側に設けられる電気装置２を固定する構造であり、車両前後方向に延びるセンタートンネル３及びサイドシル４と、車両幅方向に延びる前側フロアクロスメンバ５及び後側フロアクロスメンバ６とを有している。前側フロアクロスメンバ５及び後側フロアクロスメンバ６は、センタートンネル３とサイドシル４にそれぞれ接続されて固定されているとともに、電気装置２は、センタートンネル３、サイドシル４、前側フロアクロスメンバ５及び後側フロアクロスメンバ６に囲まれた領域Ｒに配置されている。そして、電気装置２の車両前後部と車両内側部には、電気装置２の車体への固定部として前後固定部２１，２２と内側固定部２３が設けられ、前後固定部２１，２２は、電気装置２から車両前後方向に延び、前側フロアクロスメンバ５及び後側フロアクロスメンバ６に固定され、内側固定部２３は、センタートンネル３もしくはセンタートンネル３付近のフロアパネル１に固定されている。また、前後固定部２１，２２は、電気装置２の車両幅方向の外半部側に位置し、かつ電気装置２の車両幅方向の外側端２ａよりも車両内側に位置する箇所に設けられ、内側固定部２３は、車体側取付点２３Ａと電気装置側取付点２３Ｂとの間で車両幅方向に複数の屈曲点２３Ｃを有する形状に形成されたブラケットで構成され、電気装置２の底面２ｂとフロアパネル１との間には、空間Ｓが設けられている。
【００２０】
そのため、本実施形態の電気装置２の固定構造では、車両側面衝突時において、衝突範囲が広い場合（前側フロアクロスメンバ５及び後側フロアクロスメンバ６の両方に衝撃荷重の入力がある場合）に、前後のフロアクロスメンバ５，６が衝撃荷重を受け、フロアパネル１が変形して前後のフロアクロスメンバ５，６は車両幅方向内側に移動することになる。その際、剛性の高い前後のフロアクロスメンバ５，６は、衝撃荷重による変形量が小さいので、電気装置２と前後のフロアクロスメンバ５，６との固定が前後固定部２１，２２を介して保持されたまま、車両内側に移動することになる。また、車両内側に位置する内側固定部２３のブラケットは、屈曲点２３Ｃの箇所で変形しながらストロークすることになる。
したがって、本実施形態の電気装置２の固定構造によれば、側面衝突時に加わる衝撃荷重を吸収しながら、電気装置２と車体との固定は破断せず、衝突後も維持されることになるので、電気装置２が周辺の車体構造体と衝突して破損することを防止することができる。
【００２１】
また、本実施形態の電気装置２の固定構造においては、電気装置２とセンタートンネル３との間の車両幅方向の距離Ｌ１及び電気装置２とサイドシル４との間の車両幅方向の距離Ｌ２が、電気装置２と前側フロアクロスメンバ５との間の車両前後方向の距離Ｌ３及び電気装置２と後側フロアクロスメンバ６との間の車両前後方向の距離Ｌ４よりも大きく設定されている。しかも、前側フロアクロスメンバ５及び後側フロアクロスメンバ６には、シートブラケット７，８がそれぞれ固定されており、シートブラケット７，８は、車両幅方向で電気装置２の前後固定部２１，２２とサイドシル４との間に配置されているとともに、前後固定部２１，２２と隣接した位置に配置されている。
したがって、本実施形態の電気装置２の固定構造では、側面衝突時における電気装置２の車両幅方向への移動距離が確保されているとともに、シートブラケット７，８により前側フロアクロスメンバ５及び後側フロアクロスメンバ６が補強されているので、側面衝突時において、前後固定部２１，２２よりも車両外側の電気装置２の変形を抑えることができるとともに、前側フロアクロスメンバ５及び後側フロアクロスメンバ６の変位と同様に電気装置２を確実に移動させることができる。
【００２２】
さらに、本実施形態の電気装置２の固定構造において、電気装置２は、電気装置本体２Ａと、電気装置本体２Ａの周囲を覆うハウジングケース２Ｂを有し、電気装置本体２Ａの周囲とハウジングケース２Ｂとの間には隙間ｃ１，ｃ２が設けられ、電気装置本体２Ａの車両外側面に対する隙間ｃ１は、車両外側面以外の面に対する隙間ｃ２よりも大きな隙間が設けられている。そして、ハウジングケース２Ｂの車両前後面には、電気装置本体２Ａの車両前後面と係止する係止部２４，２５が設けられている。
したがって、本実施形態の電気装置２の固定構造では、車両側面衝突時にハウジングケース２Ｂが変形することで衝撃荷重吸収部材として機能するので、電気装置本体２Ａへの衝撃を緩和し、電気装置本体２Ａの被害を低減させることができる。しかも、ポール側突等のように、衝撃荷重が車両側面に局所的に入力される場合では、電気装置本体２Ａの外側に位置するハウジングケース２Ｂとの空間部で衝撃荷重を吸収しつつ内側固定部２３のブラケットが変形することで、電気装置本体２Ａへの衝撃荷重を吸収し、ストロークを確保するので、電気装置本体２Ａの破損を防ぐことができる。
【００２３】
そして、本実施形態の電気装置２の固定構造において、センタートンネル３の車両幅方向左右両側に位置するフロアパネル１には、車両前後方向に沿った閉断面部１３が設けられ、電気装置２の内側固定部２３を構成するブラケットは、閉断面部１３に接続されて固定されている。
したがって、本実施形態の電気装置２の固定構造では、車両側面から入力された衝撃荷重による内側固定部２３の車体側取付点２３Ａの部分の変形が低減されるので、内側固定部２３のブラケットを確実に変形させることができ、車両側面からの衝撃荷重を効果的に吸収することができる。
【００２４】
以上、本発明の実施の形態につき述べたが、本発明は既述の実施の形態に限定されるものではなく、本発明の技術的思想に基づいて各種の変形及び変更が可能である。
【００２５】
例えば、既述の実施形態の固定構造では、電気装置本体２Ａの車両外側面に対する隙間ｃ１を大きくするために、ハウジングケース２Ｂの外側端部を車両側部方向へ延長しているが、ハウジングケース２Ｂの延長部に代えて、衝撃変形する部材が電気装置本体２Ａの車両外側面などに設けられていても良い。
【符号の説明】
【００２６】
１  フロアパネル
２  電気装置
２ａ  外側端
２ｂ  底面
３  センタートンネル
４  サイドシル
５  前側フロアクロスメンバ
６  後側フロアクロスメンバ
７，８  シートブラケット
９  トンネルサイドメンバ
１１  フロアサイドメンバ
１３  閉断面部
２１  前側固定部
２２  後側固定部
２３  内側固定部
２３Ａ  車体側取付点
２３Ｂ  電気装置側取付点
２３Ｃ  屈曲点
２４  前面側係止部
２５  後面側係止部
ｃ１，ｃ２  隙間
Ｒ  領域
Ｓ  空間
【図１】
2019155993.tif 000003
【図２】
2019155993.tif 000004
【図３】
2019155993.tif 000005
【図４】
2019155993.tif 000006
【図５】
2019155993.tif 000007
【図６】
2019155993.tif 000008
【図７】
2019155993.tif 000009